(57)【要約】【課題】ｎｍオーダーの微細なミストを必要十分な霧化量で発生させて、肌に対して内部まで水分や有効成分を補給し活性効果を高めることができる美容機器を提供する。【解決手段】液体を微粒化する微粒化手段４４と、微粒化手段４４により微粒化したミストを微細化する微細化手段４６を備え、微細化手段４６は、接地された筒状電極４８と、筒状電極４８の中心軸部に配設した高電圧を印加する棒状電極４９を設けた放電部４７と電源部５１とを具備したことにより、ｎｍオーダーの微細なミストを必要十分な霧化量で発生させて、肌に対して内部まで水分や有効成分を補給し活性効果を高めることができる。【選択図】図１
2007075243.tif 000002
【特許請求の範囲】
【請求項１】
液体を微粒化する微粒化手段と、前記微粒化手段により微粒化したミストを微細化する微細化手段を備え、前記微細化手段は、接地された筒状電極と前記筒状電極の中心軸部に配設した棒状電極を有する放電部と、前記棒状電極に高電圧を印加する電源部とを具備した美容機器。
【請求項２】
微粒化手段は、超音波振動子を用いた霧化方式とした請求項１記載の美容機器。
【請求項３】
放電部は、プラス極性の電圧を印加する構成とした請求項１または２記載の美容機器。
【請求項４】
棒状電極は、筒状電極及び微粒化手段の外部で支持する構成とした請求項１〜３のいずれか１項に記載の美容機器。
【請求項５】
筒状電極の外側外周に筒状の電極支持部材を設け、棒状電極は、前記電極支持部材の側面で支持されＬ状に屈曲して筒状電極の中心軸部に配設した請求項１〜４のいずれか１項に記載の美容機器。
【請求項６】
筒状電極の外周表面に絶縁部材を設けた請求項５記載の美容機器。
【請求項７】
棒状電極の水平部分と筒状電極の距離は、前記棒状電極と前記筒状電極の電極間距離よりも長く設定した請求項５または６記載の美容機器。
【請求項８】
棒状電極の水平部分とミストの出口部となる電極支持部材の上部端面の距離は、棒状電極と筒状電極の電極間距離よりも長く設定した請求項５〜７のいずれか１項に記載の美容機器。
【請求項９】
微粒化手段により微粒化したミストを放電部へ導入するファンを設けた請求項１〜８のいずれか１項に記載の美容機器。
【請求項１０】
ミストの出口部にオゾン分解触媒フィルタを設けた請求項１〜９のいずれか１項に記載の美容機器。
【請求項１１】
微粒化手段の内部にヒータを設けた請求項１〜１０のいずれか１項に記載の美容機器。
【発明の詳細な説明】
【技術分野】
【０００１】
本発明は、ミストを肌に作用させて肌の活性化を図る美肌器具等のような理美容器具、ヘアートリートメントをおこなうブラシ付きヘアードライヤー（ヘアーセッター）及び美顔器具等の美容機器に関するものである。
【背景技術】
【０００２】
従来、ミストあるいはスチームを肌や髪に作用させて活性化を図るような理美容器具として、以下のものがある（例えば、特許文献１参照）。図３は、前記公報に記載された理美容器具の断面図を示すものである。
【０００３】
図３に示すように、理美容器具Ａは、スチーム噴射装置ａとミスト噴射装置ｂから構成され、スチーム噴射装置ａはスチーム発生室９内にＰＴＣヒータのようなヒータ１０を備え、これに接するようフェルトのような多孔質材１１を配置し、スチーム発生室９の側部を覆うようにスチーム用タンクＳＴが配設され、スチーム用タンクＳＴは、例えば左右のタンク１２、１３に分けられ、タンク１２、１３の内部へ多孔質材１１の一部を配置してスチーム発生室９とタンク１２、１３を連結する。スチーム発生室９の外気への開口経路１６にはスチーム噴射ノズル１７を設置する。
【０００４】
ミスト噴射装置ｂは、ミスト用タンク１８とこれにシール性を確保して接続される液体経路１９をミスト用タンク１８内部の略中央部ｓまで突出させ、この液体経路１９の他端部にはシール性を確保してミスト噴射ノズル２０が接続される。ミスト噴射ノズル２０はスチーム噴射ノズル１７との間でベンチュリー効果を利用できるように近接配置する。
【０００５】
このように構成される理美容器具Ａの動作を説明する。タンク１２、１３の開口部２１、２２から給水し、シール栓２３、２４でシールし、又、ミスト用タンク１８の開口部２７から給水し、シール栓２８でシールする。次に、毛細管現象によって保水した多孔質材１１をヒータ１０によって加熱し、スチームを発生させるスチーム発生室９をスチーム圧で加圧し、加圧されたスチームは開口経路１６を通ってスチーム噴射ノズル１７から噴射される。この時、ベルヌーイの定理によって生じる負圧がベンチュリー効果を発生し、ミスト用タンク１８の液体をミスト噴射ノズル２０へ引き込み、噴射口３０からスチーム圧で吹き飛ばされ、スチームとミストが混合する。
【０００６】
このようにして、理美容器具Ａから噴出したスチームとミストを肌に当てることによって、肌のたるみを改善したり、張りを与えるという効果を生み出す。また、髪の毛に当てることによって、ツヤを与えたり寝癖を直すという効果を生み出す。
【特許文献１】特開２００２−１２５７６２号公報
【発明の開示】
【発明が解決しようとする課題】
【０００７】
肌に対するミストの効果は、その粒径が小さいほど、角質層の内部まで浸透し易くなる為、水分補給が多くなり向上する。また、抗酸化作用等の様々な作用を有した剤を含有したミストを適用する場合でも、粒径が小さいほど浸透性が高くなりその効果はさらに向上する。
【０００８】
しかしながら、従来のミスト噴射装置ｂは超音波振動子を用いているため、噴出するミストの粒径は３〜１０μｍであり、肌の内部へミストを浸透させるのに十分な微細粒径になっていない。このため、肌へ水分や有効成分を補給するのが不十分であるという課題を有していた。
【０００９】
以上のような課題を解決し、さらにミストの肌の活性効果を計るためには、ミストの微細化は非常に重要な技術的課題である。微細なミストを発生する方式として、例えば静電霧化方式がある。これは、先端の尖った多孔質の棒状吸水体と水タンクから成り、吸水体の下部が水に浸漬した構成となっている。この吸水体に高電圧を印加すると毛細管現象で水が吸い上げられ、その先端部に達した水がレイリー分裂を起こして数十ｎｍオーダーの粒径のミストとなって霧化するものである。
【００１０】
しかし、このような静電霧化方式では多孔質の吸水体を通じて霧化するため、細管現象で吸い上げられ先端部に達した水のみが帯電して分裂し霧化するため、数十ｎｍオーダーの粒径の微細なミストを発生させることができるものの、霧化量は０．００８ｇ／ｍｉｎと極めて小さい。したがって、肌へ十分な量の水分や有効成分を補給するのが困難である。
【００１１】
本発明は、前記従来の課題を解決するもので、ｎｍオーダーの微細なミストを必要十分な霧化量で発生させて、肌に対して内部まで水分や有効成分を補給し活性効果を高めることができる美容機器を提供することを目的とする。
【課題を解決するための手段】
【００１２】
前記課題を解決するために、本発明の美容機器は、液体を微粒化する微粒化手段と、前記微粒化手段により微粒化したミストを微細化する微細化手段を備え、前記微細化手段は、接地された筒状電極と前記筒状電極の中心軸部に配設した棒状電極を有する放電部と、前記棒状電極に高電圧を印加する電源部とを具備したものである。
【００１３】
これにより、微粒化手段によって霧化された数μｍの洗剤液のミストは、微細化手段によってさらに数１０〜数１００ｎｍに微細化されるため、肌の内部まで水分や有効成分を浸透させることができる。また、微粒化手段で霧化したミストを微細化する為、肌の活性を上げるのに十分な霧化量を確保することができる。
【発明の効果】
【００１４】
本発明の美容機器は、ｎｍオーダーの微細なミストを必要十分な霧化量で発生させて、肌に対して内部まで水分や有効成分を補給し活性効果を高めることができる。
【発明を実施するための最良の形態】
【００１５】
第１の発明は、液体を微粒化する微粒化手段と、前記微粒化手段により微粒化したミストを微細化する微細化手段を備え、前記微細化手段は、接地された筒状電極と前記筒状電極の中心軸部に配設した棒状電極を有する放電部と、前記棒状電極に高電圧を印加する電源部とを具備したことにより、微粒化手段によって霧化された数μｍの洗剤液のミストは、微細化手段によってさらに数１０〜数１００ｎｍに微細化されるため、肌の内部まで水分や有効成分を浸透させることができる。また、微粒化手段で霧化したミストを微細化する為、肌の活性を上げるのに十分な霧化量を確保することができる。
【００１６】
第２の発明は、特に第１の発明の微粒化手段に超音波振動子を用いた霧化方式としたことにより、粒径３〜１０μｍの粒度分布バラツキの小さい安定したミストを霧化して放電部で微細化することができるので、印加電圧を小さくすることができ、効果的にミストの微細化を行うことができる。
【００１７】
第３の発明は、特に、第１または第２の発明の放電部をプラス極性の電圧を印加する構成としたことにより、大気放電によるオゾンの発生を抑制してミストを微細化することができるので、安全性を確保しながらミストを微細化することができる。
【００１８】
第４の発明は、特に、第１〜第３のいずれか１つの発明の棒状電極を、筒状電極及び微粒化手段の外部で支持する構成としたことにより、ミスト噴霧によって棒状電極と筒状電極間が水で繋がらないので、電極間での水による短絡によって過電流が流れることを防止すると共に、微粒化手段における水の高電圧化を防止することができる。
【００１９】
第５の発明は、特に、第１〜第４のいずれか１つの発明の筒状電極の外側外周に筒状の電極支持部材を設け、棒状電極は、前記電極支持部材の側面で支持されＬ状に屈曲して筒状電極の中心軸部に配設したことにより、さらに電極間での水による短絡によって過電流が流れることを防止することができる。
【００２０】
第６の発明は、特に、第５の発明の筒状電極の外周表面に絶縁部材を設けたことにより、ミスト噴霧によって高電位となる電極支持部材内面と筒状電極が水で繋がることを防ぐので、電極支持部材と接地極間で過電流が流れることをさらに防止することができる。
【００２１】
第７の発明は、特に、第５または第６の発明の棒状電極の水平部分と筒状電極の距離を、前記棒状電極と前記筒状電極の電極間距離よりも長く設定したことにより、棒状電極と筒状電極端面での放電を防止し、棒状電極と筒状電極間全体で良好に放電することができるので、安定してミストの微細化を行うことができる。
【００２２】
第８の発明は、特に、第５〜第７のいずれか１つの発明の棒状電極の水平部分とミストの出口部となる電極支持部材の上部端面の距離は、棒状電極と筒状電極の電極間距離よりも長く設定したことにより、ミスト出口に肌を近づけても放電することがないので、安全性を確保することができる。
【００２３】
第９の発明は、特に、第１〜第８のいずれか１つの発明の微粒化手段により微粒化したミストを放電部へ導入するファンを設けたことにより、霧化したミストを効率的に放電部に導入することができるので、より効率的にミストの微細化を行うことができる。
【００２４】
第１０の発明は、特に、第１〜第９のいずれか１つの発明において、ミストの出口部にオゾン分解触媒フィルタを設けたことにより、放電により発生したオゾンを分解することができるので、さらに安全性を確保しながらミストを微細化することができる。
【００２５】
第１１の発明は、特に、第１〜第１０のいずれか１つの発明の微粒化手段の内部にヒータを設けたことにより、温度の低いミストと温度の高いミストを交互に放出することができるので、肌に対してミストの温度差による活性効果を与えることができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における美容機器の断面図である。図１において、微粒化手段４４は、その容器４４ａの底部に超音波振動子４５を設けており水が貯留されている。そして、微粒化手段４４の上部は開口しており、微細化手段４６の放電部４７となる円筒形状の筒状電極４８が接続されている。筒状電極４８はＳＵＳ等の金属で形成しており接地されている。筒状電極４８の中心部には、タングステン等の金属で形成された棒状電極４９が配置されている。棒状電極４９は筒状電極４８の上部で直角に曲げて形成されており、筒状の電極支持部材５０の側面で支持されている。そして、棒状電極４８は高電圧を印加する為の電源部５１と接続されている。電極支持部材４９は、筒状電極４７の外側外周に配置し微粒化手段４４の上部で固定されている。
【００２８】
ここで、棒状電極４９の水平部分と筒状電極４８の端面の距離ｂは、棒状電極４９と筒状電極４８の電極間距離ａよりも長く設定している。また、棒状電極４９の水平部分４９ａとミストの出口部となる電極支持部材５０との距離ｃについても、電極間距離ａよりも長く設定している。
【００２９】
以上のように構成された美容機器について、以下その動作、作用を説明する。微粒化手段４４の超音波振動子４５に電圧が印加されると、超音波振動子４５は一定の周波数で縦方向に振動し、この振動エネルギによって貯留された水の水面から水柱が立ち、ミストを発生する。このときのミストの粒径は２〜５μｍとなっている。そして、この霧化したミストは微粒化手段４４の上部開口部から放電部４７の筒状電極４８内へ導入される。
【００３０】
放電部４７において、棒状電極４９に５〜１０ｋＶの高電圧を印加すると、棒状電極４９と筒状電極４８間でコロナ放電が起き、電極間は数μＡの微電流が流れると共に高電界状態となる。このため、放電部４７に導入したミストには電荷が帯電する。この帯電量がミストの表面張力を超えると分裂し、数１０ｎｍ〜数１００ｎｍの粒径のミストに微細化する。微細化したミストは、筒状電極４８から飛び出し電極支持部材５０の上部出口から放出される。
【００３１】
そして、放出したミストを肌に当てることによって、微細ミストは肌の角質層内部まで水分や有効成分を補給し活性効果を高めることができる。
【００３２】
ここで、微粒化手段４４は超音波振動子４５を用いた霧化方式としたことにより、粒径２〜５μｍの比較的粒径の小さいミストを安定して霧化することができるので、小さな帯電量でもミストを分裂することができるため、印加電圧を小さくすることができ効果的にミストの微細化を行うことができる。
【００３３】
また、放電部４７をプラス極性の電圧を印加する構成としたことにより、大気放電によるオゾンの発生を抑制してミストを微細化することができるので、安全性を確保しながらミストを微細化することができる。
【００３４】
また、筒状電極４８の外側外周に電極支持部材５０を設け、棒状電極４９は、電極支持部材５０の側面で支持され直角に屈曲して筒状電極４８の中心軸部に配設したことにより、ミスト噴霧によって棒状電極４９と筒状電極４８間が水で繋がらないので、電極間での水による短絡によって過電流が流れることを防止すると共に、微粒化手段４４における水の高電圧化を防止することができる。
【００３５】
また、棒状電極４９の水平部分４９ａと筒状電極４８の距離ｂを、棒状電極４９と筒状電極４８の電極間距離ａよりも長く設定したことにより、棒状電極４９と筒状電極４８間での放電を防止し、棒状電極４９と筒状電極４８間全体で良好に放電することができるので、安定してミストの微細化を行うことができる。
【００３６】
さらに、棒状電極４９の水平部分４９ａとミストの出口部となる電極支持部材５０の上部端面の距離ｃは、棒状電極４９と筒状電極４８の電極間距離ａよりも長く設定したことにより、ミスト出口に肌を近づけても放電することがないので、安全性を確保することができる。
【００３７】
以上のように、本実施の形態においては、液体を微粒化する微粒化手段と、微粒化手段により微粒化したミストを微細化する微細化手段を備え、前記微細化手段は、接地された筒状電極と前記筒状電極の中心軸部に配設した高電圧を印加する棒状電極を設けた放電部と電源部とを具備したことにより、ｎｍオーダーの微細なミストを必要十分な霧化量で発生させて、肌に対して内部まで水分や有効成分を補給し活性効果を高めることができる。
【００３８】
（実施の形態２）
図２は、本発明の第２の実施の形態における微粒化手段の断面図を示すものである。図２において、微粒化手段４４内の水貯留部４４ｂの上部には、側面が開口してファン５２が設けられている。また、水貯留部４４ｂには貯留した水を加熱するヒータ５３が設けられている。また、筒状電極４８の外周表面には絶縁部材５４を設けている。電極支持部材５０の上部のミスト出口には、金属酸化物を担持したオゾン分解触媒フィルタ５５設けられている。
【００３９】
以上のように構成された美容機器について、以下その動作、作用を説明する。まず、ヒータ５３の通電によって微粒化手段４４の水貯留部４４ｂの水が加温される。そして、微粒化手段４４の作動によって、貯留された水の水面から水柱が立ちミストが発生する。微粒化手段４４の作動と共にファン５２も運転し、微粒化手段４４から発生したミストはより積極的に放電部４７へ導入される。このため、微粒化手段４４で霧化したミストは放電部４７をより多く通過することができるので、効率的にミストの微細化を行うことができる。
【００４０】
また、筒状電極４８の外周表面に絶縁部材５４を設けたことにより、ミスト噴霧によって内面が濡れて高電位となる電極支持部材５０の内面と筒状電極４８が水で繋がることを防ぐので、電極支持部材５０と筒状電極４８間で過電流が流れることをさらに防止することができる。
【００４１】
また、放電部４７の放電によってオゾンが生成するが、オゾン分解触媒フィルタ５５にオゾンが通過すると、このオゾン分解触媒フィルタ５５上に担持された金属酸化物によって分解される。このため、放出されるオゾン濃度は抑制されるので、さらに安全性を向上することができる。
【００４２】
さらに、ヒータ５３のＯＮ／ＯＦＦによって温度の低いミストと温度の高いミストを交互に放出することができるので、肌に対してミストの温度差による活性効果を与えることができる。
【００４３】
以上のように、本実施の形態においては、微粒化手段にファンとヒータを設け、筒状電極の外周表面には絶縁部材を備え、電極支持部材の上部の出口にはオゾン分解触媒フィルタを設けることによって、より効率的にミストの微細化を行うことができると共に、安全に肌に対してミストの温度差による活性効果を与えることができる。
【産業上の利用可能性】
【００４４】
以上のように、本発明にかかる美容機器は、数１０〜数１００ｎｍオーダーの微細粒径のミストを電気的安全性を確保して必要十分な霧化量で発生させることによって、肌に対して内部まで水分や有効成分を補給し活性効果を高めることができるので、ヘアードライヤーの用途にも適用できる。
【図面の簡単な説明】
【００４５】
【図１】本発明の実施の形態１における美容機器の断面図
【図２】本発明の実施の形態２における美容機器の断面図
【図３】従来の美容機器の断面図
【符号の説明】
【００４６】
４４  微粒化手段
４５  超音波振動子
４６  微細化手段
４７  放電部
４８  筒状電極
４９  棒状電極
５０  電極支持部材
５１  電源部
５２  ファン
５３  ヒータ
５４  絶縁部材
５５  オゾン分解触媒フィルタ
【図１】
2007075243.tif 000003
【図２】
2007075243.tif 000004
【図３】
2007075243.tif 000005